(57)【要約】【課題】押圧式ボタンを厚さを抑えながらカバーパネル内の限られた領域内に防水性を保つように設ける。【解決手段】表示ディスプレイ２を収容する正面側キャビネット３の周縁に表示ディスプレイ２を覆うカバーパネル６を貼り付ける。この正面側キャビネット３周縁のカバーパネル６の領域でかつ表示エリア外に押圧式ボタン１０を配置する。カバーパネル６を正面側キャビネット３周縁に貼り付ける一対の両面テープ７，９間にカバーパネル６から露出するボタン本体１１を押し下げたときに押圧式ボタン１０を押し付ける樹脂製の隔離シート８を貼り付ける。【選択図】図１
2014099709.tif 000002
【特許請求の範囲】
【請求項１】
表示ディスプレイと、
上記表示ディスプレイを収容するキャビネットと、
上記表示ディスプレイを覆い、上記キャビネット周縁に貼り付けられるカバーパネルと、
上記キャビネット周縁の上記カバーパネルの領域でかつ上記表示ディスプレイの表示エリア外に配置された押圧式ボタンと、
上記カバーパネルを上記キャビネット周縁に貼り付ける一対の両面テープと、
上記一対の両面テープ間に貼り付けられ、上記カバーパネルから露出するボタン本体を押し下げたときに上記押圧式ボタンを押し付ける樹脂製の隔離シートとを備えている
ことを特徴とする携帯端末。
【請求項２】
請求項１に記載の携帯端末において、
上記隔離シートは、ＰＥＴ樹脂よりなり、上記押圧式ボタン側へ液体が流れ込まないようにする防水シートの役割も果たしている
ことを特徴とする携帯端末。
【発明の詳細な説明】
【技術分野】
【０００１】
本発明は、カバーパネルの領域に押圧式ボタンを有する携帯端末に関するものである。
【背景技術】
【０００２】
従来より、露出したボタン本体の裏面側にシリコン等の弾性体よりなるゴムシートを設けて防水性を確保することは知られている（例えば、特許文献１参照）。
【先行技術文献】
【特許文献】
【０００３】
【特許文献１】特開２０１０−１０８７４９号公報
【発明の概要】
【発明が解決しようとする課題】
【０００４】
ところで、最近のスマートフォン等の携帯端末では、タッチパネルを有する表示ディスプレイを設けることが主流となってきている。そして、この表示ディスプレイの表面を覆うカバーパネルの領域内でかつ表示エリア外に押圧式ボタンを設けたいというニーズがある。
【０００５】
上記特許文献１のゴムシートは、防水性やボタンの押圧感覚を保つ上では有利であるが、厚さが厚く、表示エリア外のカバーパネルの領域内のように、ＵＳＢ端子などのかさばる部品が配置される領域に設けるには適切ではない。
【０００６】
本発明は、かかる点に鑑みてなされたものであり、その目的とするところは、押圧式ボタンを厚さを抑えながらカバーパネル内の限られた領域内に防水性を保つように設けることにある。
【課題を解決するための手段】
【０００７】
上記の目的を達成するために、この発明では、樹脂製の隔離シートを設けた。
【０００８】
具体的には、第１の発明では、
表示ディスプレイと、
上記表示ディスプレイを収容するキャビネットと、
上記表示ディスプレイを覆い、上記キャビネット周縁に貼り付けられるカバーパネルと、
上記キャビネット周縁の上記カバーパネルの領域でかつ上記表示ディスプレイの表示エリア外に配置された押圧式ボタンと、
上記カバーパネルを上記キャビネット周縁に貼り付ける一対の両面テープと、
上記一対の両面テープ間に貼り付けられ、上記カバーパネルから露出するボタン本体を押し下げたときに上記押圧式ボタンを押し付ける樹脂製の隔離シートとを備えている。
【０００９】
上記の構成によると、カバーパネルとキャビネット周縁とを貼り付ける一対の両面テープ間に樹脂製の隔離シートを設けて押圧式ボタンとボタン本体とを隔離するようにしたので、防水性を保ちながらも従来のシリコンゴムのシートに比べて厚さが格段に薄くなる。このため、カバーパネルの裏側にＵＳＢ端子などのかさばる部品を配置しやすくなる。
【発明の効果】
【００１０】
以上説明したように、本発明によれば、一対の両面テープ間にカバーパネルから露出するボタン本体を押し下げたときに押圧式ボタンを押し付ける樹脂製の隔離シートを設けたことにより、押圧式ボタンを厚さを抑えながらカバーパネル内の限られた領域内に防水性を保つように設けることができる。
【図面の簡単な説明】
【００１１】
【図１】図２のＩ−Ｉ線拡大断面図である。
【図２】本発明の実施形態に係る携帯電話機を示し、（ａ）が正面側から見た斜視図で、（ｂ）が背面側から見た斜視図である。
【図３】携帯電話機を示す分解斜視図である。
【図４】図２のIV−IV線断面図及びその一部拡大断面図である。
【図５】カバーパネルを省略したボタン本体及びその周辺を拡大して示す斜視図である。
【発明を実施するための形態】
【００１２】
以下、本発明の実施形態を図面に基づいて説明する。
【００１３】
図２は、本発明の実施形態に係る携帯端末としての携帯電話機１を示し、（ａ）が正面側から見た斜視図で、（ｂ）が背面側から見た斜視図である。図１は、図２のＩ−Ｉ線拡大断面図であり、図３は、携帯電話機１を示す分解斜視図である。
【００１４】
携帯電話機１は、表面側に表示ディスプレイ２を収容する正面側キャビネット３を備えている。この正面側キャビネット３の背面側は、背面側キャビネット４で覆われ、その背面側がリアカバー５で覆われている。
【００１５】
図４は、図２のIV−IV線断面図及びその一部拡大断面図であり、図５は、カバーパネルを省略したボタン本体及びその周辺を拡大して示す斜視図である。正面側キャビネット３の正面側周縁には、一段低くなった枠状のパネル貼付部３ａが形成されている。このパネル貼付部３ａには、表示ディスプレイ２を覆うガラス製又は樹脂製のカバーパネル６が貼り付けられている。このカバーパネル６には、タッチパネルが貼り付けられていてもよい。カバーパネル６の裏面には、パネル貼付部３ａに対応した枠状の防水性のある第１両面テープ７が貼り付けられている。そして、その裏面には、ほぼ同じ形状の例えば、ＰＥＴ樹脂よりなる同じく枠状の隔離シート８が貼り付けられている。ＰＥＴ（ポリエチレンテレフタレート： Polyethyleneterephthalate）樹脂は、入手製がよく強靱であるという利点がある。この隔離シート８の背面側には、同じく同形状の防水性のある第２両面テープ９が貼り付けられている。
【００１６】
そして、正面側キャビネット３周縁下側のカバーパネル６の領域でかつ表示ディスプレイ２の表示エリア外のボタン収容部３ｂには、押圧式ボタン１０が配置されている。この押圧式ボタン１０は、中央のスイッチ部１０ａを押し下げることで、オン・オフ切り替えされる接触式のボタンで、回路基板１４（図４にのみ示す）に電気的に接続されている。
【００１７】
上記一対の両面テープ７，９と隔離シート８とは、この押圧式ボタン１０の周辺形状が異なっている。すなわち、図３に示すように、第１両面テープ７には、ボタン収容部３ｂよりも若干大きく、ボタン本体１１を露出させる１つの第１ボタン用開口７ａが開口されている。第２両面テープ９には、３つの第２ボタン用開口９ａが開口され、隔離シート８には、２つの第３ボタン用開口８ａが開口されている。一対の第３ボタン用開口８ａ間の被狭持部８ｂは、第１ボタン用開口７ａ及び中央の第２ボタン用開口９ａのために一対の両面テープ７，９で覆われていない。図１及び図４に示すように、ボタン本体１１の裏面側には、スイッチ部１０ａに対応して押圧部１１ａが膨出形成されている。
【００１８】
図５に示すように、ボタン収容部３ｂには、一対の位置決め突起３ｃが突設されている。この位置決め突起３ｃには、板金製のボタン取付アングル１２の位置決め孔１２ａが嵌め込まれ、ボタン本体１１が位置決めされるようになっている。このボタン取付アングル１２の正面側にボタン本体１１が配置されている。図４に示すように、ボタン本体１１のフランジ１１ｂがカバーパネル６の貫通孔６ａ周縁に引っ掛かることで、ボタン本体１１が抜け止めされている。押圧式ボタン１０の裏面側には、所定の厚さが必要である、厚さの厚いＵＳＢ端子１３が配置されている。
【００１９】
このように構成することで、図１及び図４に示すように、押圧部１１ａ、隔離シート８及びスイッチ部１０ａの順で部品が配置され、ボタン本体１１を押し下げたときに隔離シート８の被狭持部８ｂを介して押圧式ボタン１０が押し付けられるようになっている。押圧式ボタン１０の周辺では、一対の両面テープ７，９が堅固に接着されているので、押圧式ボタン１０側へ液体が浸入しないようになっている。このように、隔離シート８は、押圧式ボタン１０側へ液体が流れ込まないようにする防水シートの役割も果たしている。また、一対の両面テープ７，９及び隔離シート８の適度な柔軟性により、ボタン本体１１の押し下げ感覚が悪化しないようになっている。
【００２０】
−実施形態の効果−
（１）本実施形態によると、カバーパネル６と正面側キャビネット３周縁とを貼り付ける一対の両面テープ７，９間に樹脂製の隔離シート８を設けて押圧式ボタン１０とボタン本体１１とを隔離するようにしたので、防水性を保ちながらも従来のシリコンゴムのシートに比べて厚さが格段に薄くなる。このため、カバーパネル６の裏側にＵＳＢ端子１３などのかさばる部品を配置しやすくなる。
【００２１】
（２）また、隔離シート８は、ＰＥＴ樹脂よりなり、押圧式ボタン１０側へ液体が流れ込まないようにする防水シートの役割も果たしている。この構成によると、一対の両面テープ７，９でＰＥＴ樹脂の隔離シート８を堅固に貼り付けることにより、防水性を確保しやすい。
【００２２】
したがって、本実施形態に係る携帯電話機１によると、一対の両面テープ７，９間にカバーパネル６から露出するボタン本体１１を押し下げたときに押圧式ボタン１０を押し付ける樹脂製の隔離シート８を設けたことにより、押圧式ボタン１０を厚さを抑えながらカバーパネル６内の限られた領域内に防水性を保つように設けることができる。
【００２３】
（その他の実施形態）
本発明は、上記実施形態について、以下のような構成としてもよい。
【００２４】
すなわち、上記実施形態では、携帯電話機１は、ストレートタイプのものとしたが、第１の筐体と第２の筐体とが折畳み開閉可能に連結された折畳み式携帯電話機や、第１の筐体が第２の筐体に対してスライド移動可能に連結されたスライド式携帯電話機でもよい。この場合には、表示ディスプレイが配置される第１の筐体側の正面側キャビネットに本発明を適用すればよい。
【００２５】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２６】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００２７】
１      携帯電話機（携帯端末）
２      表示ディスプレイ
３      正面側キャビネット
３ａ    パネル貼付部
３ｂ    ボタン収容部
３ｃ    位置決め突起
４      背面側キャビネット
５      リアカバー
６      カバーパネル
６ａ    貫通孔
７      第１両面テープ
７ａ    第１ボタン用開口
８      隔離シート
８ａ    第３ボタン用開口
８ｂ    被狭持部
９      第２両面テープ
９ａ    第２ボタン用開口
１０      押圧式ボタン
１０ａ    スイッチ部
１１      ボタン本体
１１ａ    押圧部
１１ｂ    フランジ
１２      ボタン取付アングル
１２ａ    位置決め孔
１３      ＵＳＢ端子
１４      回路基板
【図１】
2014099709.tif 000003
【図２】
2014099709.tif 000004
【図３】
2014099709.tif 000005
【図４】
2014099709.tif 000006
【図５】
2014099709.tif 000007